(57)【要約】【課題】停電時に自動的に点灯して非常灯として機能するＬＥＤ照明装置を提供する。【解決手段】クレードル２０とこれに装脱可能な本体３０とからなるＬＥＤ照明装置１０である。クレードルは、壁付コンセントなどに接続可能な接続部２１と、接続部を介して供給される交流電源を直流に変換するＡＣ−ＤＣコンバータ２２と、ＡＣ−ＤＣコンバータからの直流を受けてパルス信号を送信するパルス送信部２３とを有する。本体は、バッテリー３２と、ＬＥＤ３３と、クレードルに装着されたときにクレードルから供給される直流でバッテリーを充電する充電回路と、バッテリーでＬＥＤを発光させるＬＥＤ駆動回路３６と、クレードルのパルス送信部から送信されたパルス信号を受信するパルス受信部３８と、パルス受信部がパルス信号を受信しないときにＬＥＤ駆動回路を自動的に閉じてＬＥＤを自動点灯させるように制御する制御部３９とを有する。【選択図】図１
0003184730.tif 000002
【実用新案登録請求の範囲】
【請求項１】
商用交流電源に接続されたときに供給される交流電源を直流に変換するクレードルと、クレードルに装脱可能であってバッテリー、ＬＥＤおよび本体スイッチを有する本体とからなり、本体をクレードルに装着したときにはクレードルから供給される直流でバッテリーを充電すると共に、クレードルから取り外したときにはバッテリーから供給される直流でＬＥＤを発光させるように構成されたＬＥＤ照明装置において、前記クレードルは、交流電源を変換して得た直流を受けてパルス信号を送信するパルス送信部を有し、前記本体は、バッテリーからの直流でＬＥＤを発光させる回路に常時はＯＦＦとされている内部スイッチを有すると共に、クレードルのパルス送信部から送信されたパルス信号を受信するパルス受信部と、パルス受信部がパルス信号を受信しないときに内部スイッチをＯＮにする制御部とを有し、停電時にはバッテリーからの直流でＬＥＤを自動的に発光させて非常灯として機能させるようにしたことを特徴とするＬＥＤ照明装置。
【請求項２】
本体とクレードルとからなり、クレードルは、商用交流電源の配電装置に接続可能な接続部と、接続部を介して供給される交流電源を直流に変換するＡＣ−ＤＣコンバータと、ＡＣ−ＤＣコンバータからの直流を受けてパルス信号を送信するパルス送信部とを有し、本体は、クレードルに装脱可能であって、バッテリーと、ＬＥＤと、クレードルに装着されたときにクレードルから供給される直流でバッテリーを充電する充電回路と、バッテリーでＬＥＤを発光させるＬＥＤ駆動回路と、クレードルのパルス送信部から送信されたパルス信号を受信するパルス受信部と、パルス受信部がパルス信号を受信しないときにＬＥＤ駆動回路を自動的に閉じるように制御する制御部とを有することを特徴とするＬＥＤ照明装置。
【請求項３】
ＬＥＤ駆動回路に、常時はＯＦＦとされている本体スイッチと内部スイッチが並列に設けられ、本体をクレードルから取り外したときに本体スイッチをＯＮに切り替え操作することによりＬＥＤを点灯させて懐中電灯としての使用を可能にすると共に、本体がクレードルに装着された状態においてパルス受信部がパルス信号を受信しないときに制御部は内部スイッチをＯＮに自動的に切り替えるように制御することによりＬＥＤを点灯させて非常灯として機能させるようにしたことを特徴とする、請求項２記載のＬＥＤ照明装置。
【請求項４】
クレードルは、さらに、地震速報などの緊急情報を取得する緊急情報受信部を有し、緊急情報受信部が緊急情報を取得したときに、パルス送信部は、前記パルス信号とは異なる緊急時パルス信号を本体のパルス受信部に送信し、パルス受信部がこの緊急時パルス信号を受信したときに、本体の制御部は、内部スイッチをＯＮにすると共に、ＬＥＤを緊急点灯パターンで点灯させるように制御することを特徴とする、請求項１ないし３のいずれか記載のＬＥＤ照明装置。
【請求項５】
パルス送信部は、緊急情報受信部が取得した緊急情報の種類によって異なる緊急時パルス信号を本体のパルス受信部に送信し、本体の制御部は、パルス受信部が受信したパルス信号によって特定される緊急情報の種類に応じて異なる緊急点灯パターンでＬＥＤを点灯させるように制御することを特徴とする、請求項４記載のＬＥＤ照明装置。
【考案の詳細な説明】
【技術分野】
【０００１】
本考案は、ＬＥＤ照明装置に関し、特に、停電時に自動的に点灯して非常灯として機能するＬＥＤ照明装置に関する。
【背景技術】
【０００２】
特許文献１には、据付けソケット１６に取り付けた状態でソケットを介して供給される交流電源を直流に変換してバッテリー１９を充電し、スイッチ１３のＯＮによりバッテリー電源でＬＥＤ１０を発光させて懐中電灯としての使用を可能にすると共に、停電検知回路部２１が交流電源の遮断により停電を検知したときには自動的にＬＥＤ１０を発光させて非常用照明として機能させるようにしたＬＥＤ照明装置が開示されている。
【先行技術文献】
【特許文献】
【０００３】
【特許文献１】特開２０１３−２６２０３号公報
【考案の開示】
【考案が解決しようとする課題】
【０００４】
ところが、特許文献１には、「停電等に起因する交流電源遮断時においては停電検知回路部２１が交流電源の遮断を検知して、自動的にバッテリー１９からの電力のみに切り替えて即時にＬＥＤ１０を発光させて非常用照明として機能するように構成されている」（段落００２２）と記載されているが、その切替のための具体的制御については何も記載されていない。図２の回路構成によると、交流電源が遮断された停電時においてＬＥＤ１０を発光させるためには、バッテリー１９を電源としてＬＥＤを発光させる回路を閉じなければならず、すなわちスイッチ１３をＯＮにしなければならないが、このスイッチ１３は物理的な移動によってＯＮ／ＯＦＦ操作するものであるから、これを物理的に移動させるための制御は実際上きわめて困難であり、実現可能性が低い。
【０００５】
したがって、本考案が解決しようとする課題は、停電時に非常灯としての機能を確実に与えることができるＬＥＤ照明装置を提供することである。
【課題を解決するための手段】
【０００６】
この課題を解決するため、請求項１に係る本考案は、商用交流電源に接続されたときに供給される交流電源を直流に変換するクレードルと、クレードルに装脱可能であってバッテリー、ＬＥＤおよび本体スイッチを有する本体とからなり、本体をクレードルに装着したときにはクレードルから供給される直流でバッテリーを充電すると共に、クレードルから取り外したときにはバッテリーから供給される直流でＬＥＤを発光させるように構成されたＬＥＤ照明装置において、前記クレードルは、交流電源を変換して得た直流を受けてパルス信号を送信するパルス送信部を有し、前記本体は、バッテリーからの直流でＬＥＤを発光させる回路に常時はＯＦＦとされている内部スイッチを有すると共に、クレードルのパルス送信部から送信されたパルス信号を受信するパルス受信部と、パルス受信部がパルス信号を受信しないときに内部スイッチをＯＮにする制御部とを有し、停電時にはバッテリーからの直流でＬＥＤを自動的に発光させて非常灯として機能させるようにしたことを特徴とするＬＥＤ照明装置である。
【０００７】
請求項２に係る本考案は、本体とクレードルとからなり、クレードルは、商用交流電源の配電装置に接続可能な接続部と、接続部を介して供給される交流電源を直流に変換するＡＣ−ＤＣコンバータと、ＡＣ−ＤＣコンバータからの直流を受けてパルス信号を送信するパルス送信部とを有し、本体は、クレードルに装脱可能であって、バッテリーと、ＬＥＤと、クレードルに装着されたときにクレードルから供給される直流でバッテリーを充電する充電回路と、バッテリーでＬＥＤを発光させるＬＥＤ駆動回路と、クレードルのパルス送信部から送信されたパルス信号を受信するパルス受信部と、パルス受信部がパルス信号を受信しないときにＬＥＤ駆動回路を自動的に閉じるように制御する制御部とを有することを特徴とするＬＥＤ照明装置である。
【０００８】
請求項３に係る本考案は、請求項２記載のＬＥＤ照明装置において、ＬＥＤ駆動回路に、常時はＯＦＦとされている本体スイッチと内部スイッチが並列に設けられ、本体をクレードルから取り外したときに本体スイッチをＯＮに切り替え操作することによりＬＥＤを点灯させて懐中電灯としての使用を可能にすると共に、本体がクレードルに装着された状態においてパルス受信部がパルス信号を受信しないときに制御部は内部スイッチをＯＮに自動的に切り替えるように制御することによりＬＥＤを点灯させて非常灯として機能させるようにしたことを特徴とする。
【０００９】
請求項４に係る本考案は、請求項１ないし３のいずれか記載のＬＥＤ照明装置において、クレードルは、さらに、地震速報などの緊急情報を取得する緊急情報受信部を有し、緊急情報受信部が緊急情報を取得したときに、パルス送信部は、前記パルス信号とは異なる緊急時パルス信号を本体のパルス受信部に送信し、パルス受信部がこの緊急時パルス信号を受信したときに、本体の制御部は、内部スイッチをＯＮにすると共に、ＬＥＤを緊急点灯パターンで点灯させるように制御することを特徴とする。
【００１０】
請求項５に係る本考案は、請求項４記載のＬＥＤ照明装置において、パルス送信部は、緊急情報受信部が取得した緊急情報の種類によって異なる緊急時パルス信号を本体のパルス受信部に送信し、本体の制御部は、パルス受信部が受信したパルス信号によって特定される緊急情報の種類に応じて異なる緊急点灯パターンでＬＥＤを点灯させるように制御することを特徴とする。
【考案の効果】
【００１１】
本考案によれば、バッテリーやＬＥＤを備えた本体が、商標交流電源に接続して交流電源の供給を受けるクレードルに装脱可能に構成されたＬＥＤ照明装置において、クレードル内のＡＣ−ＤＣコンバータから直流が流れないときは、クレードルのパルス送信部からパルス信号が送信されず、したがって本体のパルス受信部がパルス信号を受信しないので、バッテリーからの電流でＬＥＤを自動的に発光させて非常灯として機能させることができる。
【００１２】
さらに、本考案は、停電が発生したときに初めて非常灯を点灯させるという受動的な点灯制御に止まらず、停電発生前にその原因として起こり得る予備的な危険性（地震など）を察知して近くにいる人に告知し、ＬＥＤ照明装置の設置場所や緊急事態への対応に対して意識を向けさせることができ、従来の非常灯に比べて、より積極的且つ能動的な緊急対応を促すことができる効果を有する。
【図面の簡単な説明】
【００１３】
【図１】本考案の一実施形態によるＬＥＤ照明装置の構成および回路を概略的に示すブロック図である。
【図２】本体がクレードルに装着されている状態において交流電源が通常に供給されているときの状態を示す、図１と同様のブロック図である。
【図３】本体がクレードルに装着されている状態において停電が起きた場合の制御を示す、図１と同様のブロック図である。
【図４】本体をクレードルから取り外して懐中電灯として使用する場合の、図１と同様のブロック図である。
【図５】本考案の他実施形態によるＬＥＤ照明装置の構成および回路を概略的に示すブロック図である。
【考案を実施するための最良の形態】
【００１４】
本考案の一実施形態によるＬＥＤ照明装置について、まず図１を参照して説明する。このＬＥＤ照明装置１０は、クレードル２０と、本体３０とから構成され、本体３０はクレードル２０に装脱可能である。
【００１５】
クレードル２０は、商用交流電源の配電装置（壁付のコンセントなど）に接続可能な接続部２１と、接続部２１を介して供給される交流電源を直流に変換するＡＣ−ＤＣコンバータ２２と、ＡＣ−ＤＣコンバータ２２からの直流を受けてパルス信号を送信するパルス送信部２３と、本体３０がクレードル２０に適正に装着されたときに本体３０のコネクタ３１と接触して通電を可能にするコネクタ２４とを有する。接続部２１は、たとえば、コンセントに接続可能な差込プラグとして形成される。パルス送信部２３は、ＡＣ−ＤＣコンバータ２２から直流が流れている間は常に所定のパルス信号（図２に太線で示される）を送信し続け、このパルス信号が後述する本体３０のパルス受信部３８によって受信される。コネクタ２４，３１は、本体３０がクレードル２０に適正に装着されたときに、クレードル２０のＡＣ−ＤＣコンバータ２２からの直流を本体に供給することができるものであれば、その具体的態様を問わない。
【００１６】
本体３０は、コネクタ３１と、バッテリー３２と、ＬＥＤ３３と、ＬＥＤ３３の点消灯を切り替える本体スイッチ３４とを有する。本体３０がクレードル２０に適正に装着されたときには、コネクタ２４，３１同士の接触によりクレードル２０から直流が供給されるので、この直流を電源としてバッテリー３２を充電すると共に、本体スイッチ３４がＯＮであるときには該直流電源によりＬＥＤ３３を点灯させることができる。チャージコントローラ３５は、たとえば、バッテリー３２内の電圧および電流を検知することによりバッテリー残量を常時モニターし、バッテリー残量が上限閾値に達したとき（満充電になったとき）には充電を停止し、上限閾値を下回ったときには充電を再開するなどの充電制御を行なう。また、チャージコントローラ３５は、クレードル２０からの直流に帯同するパルス信号の有無を検知し、これをパルス受信部３８に伝える役割を果たす。
【００１７】
また、本体３０をクレードル２０から取り外した状態で本体スイッチ３４をＯＮにすると、バッテリー３２からの直流を電源としてＬＥＤ３３を点灯させることができるので、本体３０を懐中電灯として使用することが可能である。
【００１８】
以上の構成を前提として、本体３０は、さらに、バッテリー３２からの直流電源でＬＥＤ３３を発光させるＬＥＤ駆動回路３６上に本体スイッチ３４と並列に設けられる内部スイッチ３７と、クレードル２０のパルス送信部２３から送信されたパルス信号を受信するパルス受信部３８と、内部スイッチ３７を制御する制御部３９を有する。内部スイッチ３７は常時はＯＦＦとされているが、制御部３９は、パルス受信部３８がパルス信号を受信しないことを検知したときに、内部スイッチ３７に制御信号４０を送信して内部スイッチ３７をＯＮにする。これにより、外部スイッチ３４がＯＦＦであっても、バッテリー３２からの直流電源でＬＥＤ３３を発光させる回路３６が閉じられ、ＬＥＤ３３を点灯させる。
【００１９】
図２を参照して、上記構成のＬＥＤ照明装置１０において、本体３０がクレードル２０に適正に装着されているときは、クレードル２０の接続部２１を介して供給される交流電源をＡＣ−ＤＣコンバータ２２で変換して得た直流が、コネクタ２４，３１同士の接触を介して本体３０に供給されるので、これによりバッテリー３２を充電することができる。また、ＡＣ−ＤＣコンバータ２２からの直流を受けて、パルス送信部２２からパルス信号が送信され、これをチャージコントローラ３５を介してパルス受信部３８が受信する。制御部３９は、パルス信号が受信されている限り内部スイッチ３７をＯＮに変える制御を行なわないので、内部スイッチ３７はＯＦＦ状態を維持する。
【００２０】
なお、この状態において、本体スイッチ３４をＯＮにすると、クレードル２０から供給される直流電源によりＬＥＤ３３を点灯させる回路が閉じられるので、クレードル２０に装着したままの状態で室内灯などとして使用することができる。本体スイッチ３４がＯＮでＬＥＤ３３が点灯しているときに停電が発生した場合、このＬＥＤ照明装置１０は停電発生の前後を通じて点灯し続けることになるが、周囲にある照明が消灯したり、テレビなどの家電製品がシャットオフされることによって停電を感知することが可能である。ただし、本体スイッチ３４は必要なとき以外はＯＦＦにしておくこととして、バッテリー３２の消耗を最小限に抑えることが好ましい。
【００２１】
図２に示す充電状態において停電が発生したときの動作について、図３を参照して説明する。停電が発生すると、接続部２１を介して交流電源がクレードル２０に供給されなくなるので、クレードル２０から本体３０への給電が行なわれなくなり、パルス送信部２３からパルス受信部３８へのパルス送信もストップする。これを受けて、制御部３９は、内部スイッチ３７に制御信号４０を送信して内部スイッチ３７をＯＮに切り替えるように制御する。これにより、本体スイッチ３４がＯＦＦであっても、バッテリー３２からの電源でＬＥＤ３３を点灯させるＬＥＤ駆動回路３６が閉じられるので、ＬＥＤ３３が自動的に点灯する。言い換えれば、このＬＥＤ照明装置１０は、消灯状態から、本体スイッチ３４をＯＮに切り替える操作もしていないのに、突然点灯することになり、近くにいる人に対して非常事態であること、すなわち停電が発生したことを報知すると共に、移動や避難を容易にするための非常灯として有効に働く。
【００２２】
また、このときに、本体３０をクレードル２０から取り外して、避難や移動の際に足元などを照らすための懐中電灯として使用することも可能であり、このときの状態が図４に示されている。内部スイッチ３７がＯＮに切り替えられたことによりバッテリー３２によるＬＥＤ駆動回路３６が閉じられているので、本体スイッチ３４がＯＦＦのままで本体３０をクレードル２０から取り外しても、ＬＥＤ３３は点灯を継続する。したがって、停電時の混乱の最中に本体スイッチ３４をＯＮにする煩わしい操作は不要であり、落ち着いて安全に移動することが可能になる。
【００２３】
なお、図２に示す充電状態から本体３０をクレードル２０から取り外して本体３０のみを懐中電灯として使用することも可能である。このときも、本体３０をクレードル２０から外した瞬間にパルス送信部２３からパルス受信部３８へのパルス送信がストップするので、図４の場合と同様に、制御部３９からの制御信号４０を受けて内部スイッチ３７がＯＮに切り替えられて、本体スイッチ３４がＯＦＦのままであっても、バッテリー３２によるＬＥＤ駆動回路３６を介してＬＥＤ３３が自動点灯する。その後、本体３０を再度クレードル２０にセットすると、パルス送信部２３からパルス受信部３８へのパルス送信が復活するので、これを検知した制御部３９は内部スイッチ３７に制御信号４０を送信して内部スイッチ３７をＯＦＦに切り替えることにより、図２の充電状態に復帰する。また、本体３０を単独で懐中電灯として使用しているときに本体スイッチ３４をＯＮ→ＯＦＦ操作する（本体スイッチ３４がＯＮになっているときは単にＯＦＦにする）と、これを検知する検知手段（図示せず）からの検知信号を受けて、制御部３９は内部スイッチ３７に制御信号４０を送信して内部スイッチ３７をＯＦＦに切り替えることにより、ＬＥＤ３３を消灯させ、バッテリー３２の消耗を防ぐ。
【００２４】
図５は、本考案の他実施形態によるＬＥＤ照明装置の構成および回路を概略的に示すブロック図である。この実施形態は、図１〜図４に示す既述実施形態の構成および回路を前提とし、さらに、緊急地震速報などの外部緊急情報を受信したときにＬＥＤ照明装置を点灯または点滅させ、緊急情報が発信されたことを近くにいる人に報知する機能を付加したものである。したがって、既述実施形態と同一の要素・部材などには同一の符号を付して、それらの説明は省略する。
【００２５】
この実施形態では、クレードル２０に、ＡＣ−ＤＣコンバータ２２からの電力を得て動作する受信部２５が設けられる。受信部２５は、緊急地震速報などの緊急情報が発信されたときに、この緊急情報を、インターネットおよび施設内のモデムやルータからＬＡＮケーブル、無線ＬＡＮ、ＰＬＣなどの電灯線通信などの伝送経路２６を介して受信する。受信部２５は、緊急情報を受信すると、パルス送信部２３に制御信号２７を送出する。制御信号２７を受信したパルス送信部２３は、交流電源が供給されているときに送出し続けるパルス信号（図２に太線で示す「停電時パルス信号」）とは異なるパルス信号（図５に太線で示す「緊急時パルス信号」）を、停電時パルス信号と同様の伝送経路を介して、本体３０のパルス受信部３８に送信する。
【００２６】
緊急時パルス信号を受信したパルス受信部３８は、停電時パルス信号を受信したときと同様に制御信号４０を送出して内部スイッチ３７をＯＮにしてバッテリー３２によるＬＥＤ駆動回路３６を閉じるように制御すると共に、同時に別の制御信号４１を送出して、点灯制御部４２からの制御信号４３によりＬＥＤ３３を緊急点灯パターンで点灯させるように制御する。
【００２７】
このとき、受信部２５が受信した緊急情報の種類（緊急地震速報、津波警報など）に応じて異なる緊急時パルス信号（たとえば周波数や波形が異なるパルス信号）がパルス送信部２３からパルス受信部２８に向けて送信されるように設定し、制御部３９にはこの緊急時パルス信号の種類に応じて異なる制御信号４１を点灯制御部４２に送信するように設定しておくことにより、緊急情報の種類に応じて異なる点灯パターンでＬＥＤ３３を点灯させるように制御することができる。たとえば、緊急地震速報の場合は比較的短い間隔で５回の点滅を繰り返す点灯パターンとし、津波警報の場合は比較的長い間隔で３回の点滅を繰り返す点灯パターンに設定することができる。このように緊急情報の種類によって異なる点灯パターンでＬＥＤ３３を点灯させることにより、近くにいる人に対して、発報された緊急情報が何であるかを容易に認識させることができる。
【００２８】
この実施形態によれば、地震などの災害時に停電が発生したときに初めて非常灯を点灯させるという受動的な点灯制御に止まらず、停電発生前にその原因として起こり得る予備的な危険性を察知して近くにいる人に告知し、このＬＥＤ照明装置１０の設置場所や緊急事態への対応に対して意識を向けさせることができる。このような作用は、従来の非常灯では発揮し得ないものであり、より積極的且つ能動的な緊急対応を促すことができるものである。
【符号の説明】
【００２９】
１０  ＬＥＤ照明装置
２０  クレードル
２１  接続部
２２  ＡＣ−ＤＣコンバータ
２３  パルス送信部
２４  コネクタ
２５  受信部（緊急情報受信部）
２６  伝送経路
３０  本体
３１  コネクタ
３２  バッテリー
３３  ＬＥＤ
３４  本体スイッチ
３５  チャージコントローラ
３６  ＬＥＤ駆動回路
３７  内部スイッチ
３８  パルス受信部
３９  制御部
４０  制御信号（内部スイッチをＯＮにするための制御信号）
４１  制御信号（緊急点灯パターンでＬＥＤ点灯させるための制御信号）
【図１】
0003184730.tif 000003
【図２】
0003184730.tif 000004
【図３】
0003184730.tif 000005
【図４】
0003184730.tif 000006
【図５】
0003184730.tif 000007